(57)【要約】【課題】挿入部を太くすることなく内視鏡検査中に観察窓表面の洗浄と被写体粘膜面の洗浄とを各々容易に行うことができ、内視鏡検査後は流体管路の出口開口部分を容易にブラッシング洗浄することができる内視鏡の流体噴出装置を提供すること。【解決手段】ノズル１０を支軸１５の周りに回動自在に配置して、ノズル１０が流体管路４の出口開口４ａに被さる位置にあって流体の噴出方向を観察窓８の表面に向かわせる状態と、ノズル１０が流体管路４の出口開口４ａに被さらない位置に退避した状態とを、挿入部１の基端側からの遠隔操作によって切り換えることができるようにした。【選択図】      図１
2004174157.tif 000002
【特許請求の範囲】
【請求項１】
挿入部内に挿通配置された流体管路の出口開口が、挿入部の先端の観察窓の近傍位置に配置されて、上記流体管路の出口開口から噴出する流体の噴出方向を上記観察窓の表面に向けるためのノズルが上記流体管路の出口開口部分に配置された内視鏡の流体噴出装置において、
上記ノズルを支軸の周りに回動自在に配置して、上記ノズルが上記流体管路の出口開口に被さる位置にあって上記流体の噴出方向を上記観察窓の表面に向かわせる状態と、上記ノズルが上記流体管路の出口開口に被さらない位置に退避した状態とを、上記挿入部の基端側からの遠隔操作によって切り換えることができるようにしたことを特徴とする内視鏡の流体噴出装置。
【請求項２】
上記ノズルを上記流体管路の出口開口に被さらない位置に退避させたときに上記ノズルの退避部分を格納するためのノズル格納空間が、上記挿入部の先端に形成されている請求項１記載の内視鏡の流体噴出装置。
【請求項３】
上記ノズルが上記流体管路の出口開口に被さらない位置に退避した状態においては、流体が上記流体管路の出口開口から観察光軸に対して略平行の方向に噴出される請求項１又は２記載の内視鏡の流体噴出装置。
【発明の詳細な説明】
【０００１】
【発明の属する技術分野】
この発明は内視鏡の流体噴出装置に関する。
【０００２】
【従来の技術】
内視鏡においては一般に、挿入部内に挿通配置された送気及び送水用の流体管路の出口開口が、挿入部の先端に配置された観察窓に隣接して配置され、流体管路の出口開口から噴出する流体の噴出方向を観察窓の表面に向けるためのノズルが流体管路の出口開口部分に配置されている。
【０００３】
しかし、単純にそのように構成すると、ノズルが流体管路の出口開口部分に大きく被さる（又は、大半部分を塞ぐ）状態になるので、内視鏡検査終了後に流体管路の出口開口部分の内側に掃除用ブラシを差し込んでブラッシングすることが困難になりがちである。
【０００４】
そこで、挿入部の先端に対して着脱自在なキャップ状部材等にノズルを形成して、キャップ状部材を挿入部の先端から取り外すと流体管路の出口開口が露出して、流体管路の内部をブラッシングすることができるようにしていた（例えば、特許文献１）。
【０００５】
【特許文献１】
実公昭６４−６８０４号公報
【０００６】
【発明が解決しようとする課題】
しかし、上述のように、ノズルが形成されたキャップ状部材を挿入部の先端に対して着脱自在にすると、不注意等によりキャップ状部材の取り付け方が不完全な場合に観察窓表面の洗浄能が低下してしまったり、非常に小さな部品であるキャップ状部材を紛失して内視鏡検査が行えなくなってしまう等の不都合が発生する。
【０００７】
また、内視鏡検査において被写体である粘膜面に汚物等が付着している時は、洗浄水を観察視野内の粘膜面に向けて噴射して汚物を洗い流す処置が必要になるが、そのための洗浄水噴出口を別設すると内視鏡の挿入部が太くなって被検者に与える苦痛が大きくなってしまう。
【０００８】
特許文献１に記載された内視鏡では、キャップ状部材を取り外して使用すれば粘膜面に向けて洗浄水を噴射することができる状態になるが、キャップ状部材を着脱するためには、その度に内視鏡を被検者から抜き出して挿入を初めからやり直さなければならないので全く実用性がない。
【０００９】
そこで本発明は、挿入部を太くすることなく内視鏡検査中に観察窓表面の洗浄と被写体粘膜面の洗浄とを各々容易に行うことができ、内視鏡検査後は流体管路の出口開口部分を容易にブラッシング洗浄することができる内視鏡の流体噴出装置を提供することを目的とする。
【００１０】
【課題を解決するための手段】
上記の目的を達成するため、本発明の内視鏡の流体噴出装置は、挿入部内に挿通配置された流体管路の出口開口が、挿入部の先端の観察窓の近傍位置に配置されて、流体管路の出口開口から噴出する流体の噴出方向を観察窓の表面に向けるためのノズルが流体管路の出口開口部分に配置された内視鏡の流体噴出装置において、ノズルを支軸の周りに回動自在に配置して、ノズルが流体管路の出口開口に被さる位置にあって流体の噴出方向を観察窓の表面に向かわせる状態と、ノズルが流体管路の出口開口に被さらない位置に退避した状態とを、挿入部の基端側からの遠隔操作によって切り換えることができるようにしたものである。
【００１１】
なお、ノズルを流体管路の出口開口に被さらない位置に退避させたときにノズルの退避部分を格納するためのノズル格納空間が、挿入部の先端に形成されていてもよい。
【００１２】
また、ノズルが流体管路の出口開口に被さらない位置に退避した状態においては、流体が流体管路の出口開口から観察光軸に対して略平行の方向に噴出されるようにしてもよい。
【００１３】
【発明の実施の形態】
図面を参照して本発明の実施例を説明する。
図５は内視鏡の全体構成を示しており、可撓管状の挿入部１の基端には操作部２が連結され、先端には、後述する観察窓等が配置された先端部本体３が連結さている。
【００１４】
挿入部１内に全長にわたって挿通配置された流体管路４は、先端部本体３の先端面に開口しており、操作部２に配置された送気送水操作弁５によって空気と水を選択的に任意に先端側に送り出すことができる。
【００１５】
また、先端部本体３に可動に配置されたノズル１０が、操作部２に配置されたノズル操作レバー７を操作することにより、挿入部１内に軸線方向に進退自在に挿通配置された操作ワイヤ６を介して回動するようになっている。
【００１６】
図３と図４は、挿入部の先端部分の内部構造と外観を示しており、先端部本体３の先端面には、観察窓８、照明窓９、処置具突出口（兼吸引口）１２等と並んで、流体管路４の出口開口４ａが観察窓８に隣接して配置されている。観察窓８の奥には、対物光学系８１と、その対物光学系８１による被写体の投影位置に固体撮像素子８２が配置されている。
【００１７】
また、流体管路４を通って出口開口４ａから送り出される流体（空気又は水）の向きを観察窓８の表面に向かわせるためのノズル１０が、流体管路４の出口開口４ａに覆い被さるように配置されている。
【００１８】
ノズル１０は、略「し」の字状にカーブした形状に形成されていて、その先端寄りの部分が流体管路４の出口開口４ａに被さる位置に配置され、ノズル１０の基端側半部は、先端部本体３に形成されたノズル格納凹部１１内に格納された状態になっている。
【００１９】
ただし、ノズル１０は先端部本体３に対して固定されてはおらず、ノズル格納凹部１１内において先端部本体３に取り付けられた支軸１５によって回動自在に支持され、ノズル格納凹部１１内に位置するノズル１０の後端部分に操作ワイヤ６の先端が連結固定されている。
【００２０】
そのような構成により、操作ワイヤ６が先側に押し出されてノズル１０が流体管路４の出口開口４ａに覆い被さった図３、図４に示される状態では、流体管路４を通って出口開口４ａから送り出される流体がノズル１０によって方向を変えられて観察窓８の表面に向かって噴出する。
【００２１】
操作ワイヤ６をノズル操作レバー７により後方に牽引操作すると、図１及び図２に示されるように、ノズル１０がノズル格納凹部１１内に引き込まれる方向に回動して、流体管路４の出口開口４ａに被さる位置から退避する。
【００２２】
その結果、流体管路４の出口開口４ａが何物にも妨げられずに先端部本体３の先端面にそっくり開口する状態になり、流体管路４を通って出口開口４ａから送り出される流体が観察光軸Ｘと略平行に前方に向かって真っ直ぐに噴射される。そして、ノズル操作レバー７により操作ワイヤ６を押し込み操作すれば、ノズル１０が図３、図４に示される状態に戻る。
【００２３】
したがって、内視鏡検査中に被写体を観察しながらノズル操作レバー７を随時操作することにより、流体を観察窓８の表面に向けて噴出させる観察窓洗浄モードと、被写体粘膜面に向けて噴出させる被写体洗浄モードとを任意に切り換えることができる。
【００２４】
そして、内視鏡検査終了後においては、ノズル操作レバー７を操作するだけで、ノズル１０を流体管路４の出口開口４ａに被さる位置から退避させて、出口開口４ａから流体管路４内に掃除用ブラシを通して容易にブラッシングすることができる。
【００２５】
【発明の効果】
本発明によれば、ノズルを支軸の周りに回動自在に配置して、ノズルが流体管路の出口開口に被さる位置にあって流体の噴出方向を観察窓の表面に向かわせる状態と、ノズルが流体管路の出口開口に被さらない位置に退避した状態とを、挿入部の基端側からの遠隔操作によって切り換えることができるようにしたことにより、同じ流体管路を経由して、内視鏡検査中における観察窓表面の洗浄と被写体粘膜面の洗浄とを各々容易に行うことができ、内視鏡検査後は、流体管路の出口開口部分からノズルを退避させて、部材等を取り外すことなく流体管路内を容易にブラッシング洗浄することができる。
【図面の簡単な説明】
【図１】本発明の実施例のノズルが退避した状態の内視鏡の挿入部先端の側面断面図である。
【図２】本発明の実施例のノズルが退避した状態の内視鏡の挿入部先端の斜視図である。
【図３】本発明の実施例のノズルが突出した状態の内視鏡の挿入部先端の側面断面図である。
【図４】本発明の実施例のノズルが突出した状態の内視鏡の挿入部先端の斜視図である。
【図５】本発明の実施例の内視鏡の側面図である。
【符号の説明】
１  挿入部
２  操作部
３  先端部本体
４  流体管路
４ａ  出口開口
６  操作ワイヤ
７  ノズル操作レバー
８  観察窓
１０  ノズル
１１  ノズル格納凹部（ノズル格納空間）
１５  支軸
Ｘ  観察光軸
【図１】
2004174157.tif 000003
【図２】
2004174157.tif 000004
【図３】
2004174157.tif 000005
【図４】
2004174157.tif 000006
【図５】
2004174157.tif 000007